(57)【特許請求の範囲】
【請求項１】
ウッドデッキの床面に形成した透孔に嵌挿設置して床面埋込の花壇を形成するように使用する花壇ユニットであって，上端に外方に向けて長手方向全長に水平突設した上端の支持フランジ及び下端に内方に向けて突設した下端フランジを一体成形した断面Ｚ字状のアルミ押出材を枠組みして平面方形又は矩形の壁面を形成するとともに下端フランジ間にアルミ押出材の底桟を架設状に配置固定することによって底面を排水自在としたボックス体と，該ボックス体の上記上端の支持フランジの上面に載置固定して該上端の支持フランジを化粧被覆する外周面を面取りして湾曲した厚肉合成樹脂材によるフランジ化粧材と，上記ボックス体の底面に敷設して保水を行なう底面敷設保水用の植栽床と，該植栽床に支持して上記ボックス体に充填し植物を植栽する土壌とを備えてなることを特徴とするウッドデッキ埋込花壇ユニット。
【請求項２】
上記底面敷設保水用の植栽床を，透水性フィルター層と，該透水性フィルター層の下面に設置した樹脂ケースと，該樹脂ケースに充填したパーライト等の発泡性保水材とを備えてなることを特徴とする請求項１に記載のウッドデッキ埋込花壇ユニット。
【発明の詳細な説明】
【０００１】
【発明の属する技術分野】
本発明は，ウッドデッキの床面に花壇を形成するに使用するウッドデッキ埋込花壇ユニットに関する。
【０００２】
【発明が解決しようとする課題】
ウッドデッキは，例えば防腐処理した輸入木材によるデッキ材を組合せた床面を備え，必要に応じて端部に立上り手摺り部分を備えたものとされ，その床面はデッキ材を相互に対接したものとされ或いはデッキ材間に排水のための空隙を介設したものとされるが，一般にやや広めの空間を形成するフラットな水平面をなすものとされている。
【０００３】
このフラットな空間に，例えばベランダに防水措置を施して設置した花壇の如くに植物を植栽すれば，一般に室内側から見易い位置でこれを観賞し得る，新しいガーデニング形態を形成することが可能になる。
【０００４】
本発明はかかる事情に鑑みてなされたもので，その解決課題とするところは，ウッドデッキの床面に簡易に設置して，新しいガーデニングの形態を創出し得るウッドデッキ用の花壇ユニットを提供するにある。
【０００５】
【課題を解決するための手段】
上記課題に添って本発明は，ウッドデッキが一般に建物のテラス開口の外側に，建物床面に近い高さに設置され，その床面の下方にある程度の空間スペースが存在することから，ウッドデッキの床面に対して花壇を埋込設置するようにすることによって，ウッドデッキに納まりよく且つ室内からの観賞に好適な花壇を設置し得ることから，花壇の形成をウッドデッキに後付け設置する場合を含めて可及的に簡易且つ確実に設置可能とするように，これを埋込花壇ユニットとして構成したものであって，即ち請求項１に記載の発明を，ウッドデッキの床面に形成した透孔に嵌挿設置して床面埋込の花壇を形成するように使用する花壇ユニットであって，上端に外方に向けて長手方向全長に水平突設した上端の支持フランジ及び下端に内方に向けて突設した下端フランジを一体成形した断面Ｚ字状のアルミ押出材を枠組みして平面方形又は矩形の壁面を形成するとともに下端フランジ間にアルミ押出材の底桟を架設状に配置固定することによって底面を排水自在としたボックス体と，該ボックス体の上記上端の支持フランジの上面に載置固定して該上端の支持フランジを化粧被覆する外周面を面取りして湾曲した厚肉合成樹脂材によるフランジ化粧材と，上記ボックス体の底面に敷設して保水を行なう底面敷設保水用の植栽床と，該植栽床に支持して上記ボックス体に充填し植物を植栽する土壌とを備えてなることを特徴とするウッドデッキ埋込花壇ユニットとしたものである。
【０００６】
請求項２に記載の発明は，上記植栽床を，植物の植栽に適し且つ吸水状態でその重量を水の重量に可及的に近くして，同じく軽量化に寄与するように，これを，上記底面敷設保水用の植栽床を，透水性フィルター層と，該透水性フィルター層の下面に設置した樹脂ケースと，該樹脂ケースに充填したパーライト等の発泡性保水材とを備えてなることを特徴とする請求項１に記載のウッドデッキ埋込花壇ユニットとしたものである。
【０００７】
本発明は，これらをそれぞれ発明の要旨として上記課題解決の手段としたものである。
【０００８】
【発明の実施の形態】
以下図面の例に従って本発明を更に具体的に説明すれば，１はウッドデッキ，３は花壇ユニットであって，該花壇ユニット３は，ウッドデッキ１の床面に形成した透孔２に嵌挿設置して床面埋込の花壇を形成するように使用するものとしてあり，該花壇ユニット３は，ボックス体４と，フランジ化粧材９と，植栽床１０と，上記ボックス体４に充填し植物を植栽する土壌１４とを備えたものとしてある。
【０００９】
ボックス体４は，上端に外方に向けて長手方向全長に水平突設した上端の支持フランジ６及び下端に内方に向けて突設した下端フランジ７を一体成形した断面Ｚ字状のアルミ押出材を枠組みして平面方形又は矩形の壁面５を形成するとともに下端フランジ７間にアルミ押出材の底桟を架設状に配置固定することによって底面８を排水自在としたものとしてあり，  本例にあってボックス体４は，例えば一辺の長さを約６２ｃｍ，高さを約１７ｃｍの平面方形のもとし上記上端の支持フランジ６の張出幅を約６ｃｍとしてある。このとき本例の上記底面８は，上記架設状に配置固定した底桟の交差フレーム構造によってこれを形成したものとしてある。
【００１０】
該ボックス体４のウッドデッキへの設置は，その上端の支持フランジ６を，上記ウッドデッキの透孔２周縁の床面端部上面に載置係合することによって行うことによって，該透孔２への嵌挿設置を行ってある。
【００１１】
フランジ化粧材９は，上記ボックス体４の上端の支持フランジ６を被覆化粧して該支持フランジ６が花壇設置時に床面に露出することによって違和感を与えるのを防止して，設置状態の外観を良好に確保するものとしてあり，即ち該フランジ化粧材９は，上記ボックス体４の上記上端の支持フランジ６の上面に載置固定して該上端の支持フランジ６を化粧被覆する外周面を面取りして湾曲した厚肉合成樹脂材によるものとしてある。本例にあって該フランジ化粧材６は，例えば木目模様を有するものとしてあり，その厚さを１ｃｍ程度としたものとしてある。
【００１２】
植栽床１０は，上記ボックス体４の底面８に敷設して保水を行なう底面敷設保水用のものとしてあり，本例にあって該植栽床１０は，これを，透水性フィルター層１１と，該透水性フィルター層１１の下面に設置した樹脂ケース１２と，該樹脂ケース１２に充填したパーライト等の発泡性保水材１３とを備えたものとしてあり，このとき本例の透水性フィルター１１は，これを不織布によって折曲自在に構成し，該不織布の裏面に薄肉樹脂による樹脂ケース１２を接着剤接着，高周波接着等の接着手段によって接着して，該樹脂ケース１２内に発泡性保水材１３，本例にあってはパーライトを充填したものとしてあり，透水性フィルター１１から浸透した水分を，樹脂ケース１２のパーライトが所定量貯水する一方，その余の水分をオーバーフローして上記ボックス体４の上記排水自在の底面８から地表に排水するようにしてある。
【００１３】
土壌１４は，該植栽床１０に支持して上記ボックス体４に充填し植物を植栽するものとしてあり，本例にあって該土壌１４は，これを，人工土壌としてある。
【００１４】
本例の花壇ユニット３は，ウッドデッキ１に該花壇ユニット３に合わせた寸法の透孔２を，例えば穴あけ用の電動工具によって透設し，該透孔２にボックス体４を嵌挿するとともに，その上端の支持フランジ６を該ウッドデッキ１の透孔２周縁の床面端部上面に載置係合し，該ボックス体４を吊り持ち状態とするようにしてウッドデッキ１の床面に埋込設置し，底面８の植栽床１０を介してボックス体４に土壌１４を充填するようにして，その埋込設置を行なうようにすればよく，このとき花壇ユニット３は上記ウッドデッキ１に吊り持ち状態とされるが，散水を行なうことによって植栽床１０が発泡性保水材１３によって保水を行なうとともに余剰の水分をボックス体４の底面８から排水することによって，土壌１４の水分を適度に保持して，植栽した植物の好ましい生育を確保して，室内からの観賞に適したものとすることができ，また本例の花壇ユニット３は，上記構造によって可及的に軽量化がなされることになるから，ウッドデッキ１の床面に対して安定した耐久性ある設置をなし得るものとしてある。
【００１５】
なおウッドデッキ１の透孔２は，一般にこれを形成すれば花壇ユニット３の荷重を，その透孔２周縁の床面端部で支持可能であることが多いが，必要に応じて透孔２周縁の床面端部，特にデッキ材長手方向の透孔２側の端部下面に束柱を介設する等の補強措置を施すようにすればよい。
【００１６】
図示した例は以上のとおりとしたが，本発明の実施に当って，ウッドデッキ，花壇ユニット，そのボックス体，植栽床，土壌等の各具体的形状，構造，材質，これらの関係，これらに対する付加等は，上記発明の要旨に反しない限り，様々な形態のものとすることができる。
【００１７】
【発明の効果】
本発明は以上のとおりに構成したから，請求項１に記載の発明は，ウッドデッキに納まりよく且つ室内からの観賞に好適な花壇を設置し得て，花壇の形成をウッドデッキに後付け設置する場合を含めて可及的に簡易且つ確実に設置可能とし，新しいガーデニングの形態を創出し得るウッドデッキ用の埋込花壇ユニットを提供することができる。
【００１８】
請求項２に記載の発明は，上記植栽床を，植物の植栽に適し且つ吸水状態でその重量を水の重量に可及的に近くして，同じく軽量化に寄与するものとすることができる。
【図面の簡単な説明】
【図１】  花壇ユニットの設置状態を示す斜視図である。
【図２】  ウッドデッキの透孔と花壇ユニットの関係を示す土壌を除いた分解斜視図である。
【図３】  ウッドデッキに花壇ユニットを埋込設置した状態を示す縦断面図である。
【図４】  ボックス体の斜視図である。
【図５】  ボックス体の平面図である。
【符号の説明】
１  ウッドデッキ
２  透孔
３  花壇ユニット
４  ボックス体
６  支持フランジ
９  化粧材
１０  植栽床
１４  土壌
【図１】
0003819643.tif 000002
【図２】
0003819643.tif 000003
【図３】
0003819643.tif 000004
【図４】
0003819643.tif 000005
【図５】
0003819643.tif 000006